(57)【要約】 【課題】どの方向から風が吹いても回転できて全方向に光を拡散させることができ、これによって、鳥類を忌避してその飛来を防止できると共に、簡易且つ確実に組み立て得る風車型の害鳥・害虫飛来防止装置を提供する。【解決手段】支軸部材２が挿通された回転筒部材３を介して上下方向の軸線回りで回転し得る光反射性の風車４を具える。回転筒部材３は、端部分５７，５９相互が係合一体化される上下の筒部材６０，６１を具える。前記風車４を構成する羽根車８１は、一枚の羽根車形成シートを用い、これに適宜切り込みを入れて複数の羽根片８９を設け、各羽根片８９を屈曲させその端部分を重ねて構成する。該羽根片８９には、上下方向の非円形の連通挿通孔が設けられ、該連通挿通孔に、前記回転筒部材３の上下の抜け止め鍔部６６，７５の間をなす非円形軸部８４が略密接に挿通される。【選択図】図１
2014057566.tif 000002
【特許請求の範囲】
【請求項１】
支軸部材が挿通された回転筒部材を介して上下方向の軸線回りで回転し得る光反射性の風車を具える風車型の害鳥・害虫飛来防止装置であって、
前記支軸部材は、上下方向に長い丸軸状を呈する支軸部の下端に、被取付け部への取着部が設けられると共に該支軸部の上端には摘み部が設けられており、
前記回転筒部材は、端部分相互が係合一体化される上の筒部材と下の筒部材とに二分割されており、該上の筒部材は、前記支軸部を挿通させ得る円形挿通孔からなる上挿通孔が設けられてなる筒部の上端に抜け止め鍔部が設けられると共に、該筒部の下の端部分は、該筒部の軸線と直交する方向で所要幅が切除されて下の割片部とされ、該下の割片部の上側部分は、前記直交する方向で欠切されて、対向する係合溝からなる下の係合溝部とされ、該下の係合溝部の下側部分は、対向する係合片からなる下の係合突部とされており、
又前記下の筒部材は、前記支軸部を挿通させ得る円形挿通孔からなる下挿通孔が設けられてなる筒部の下端に抜け止め鍔部が設けられると共に、該筒部の上の端部分は、該筒部の軸線と直交する方向で所要幅が切除されて上の割片部とされ、該上の割片部の下側部分は、前記直交する方向で欠切されて、対向する係合溝からなる上の係合溝部とされ、該上の係合溝部の上側部分は、対向する係合片からなる上の係合突部とされており、
前記下の係合突部を前記上の係合溝部に嵌め入れると共に、前記上の係合突部を前記下の係合溝部に嵌め入れた状態で、前記上下の筒部材は両者の軸線が合致して一体化される如くなされ、このように一体化されて形成された前記回転筒部材の連通する前記円形挿通孔に前記支軸部が挿通されることによって、前記上下の筒部材が、互いに周方向の回転が拘束され且つ長さ方向での分離が不能となる如くなされており、又、該回転筒部材の前記上下の筒部材は、前記風車を構成する羽根車の回転軸線に沿って設けられた係合挿通孔に挿通状態となされ、該上下の筒部材が、互いに周方向の回転が阻止され且つ長さ方向での分離が不能となる如くなされており、又、該回転筒部材の前記上下の抜け止め鍔部間には、横断面外形が非円形状を呈する係合軸部が形成される如くなされ、該係合軸部は、前記回転軸線に沿って設けられた係合挿通孔に挿通状態となされ、該係合挿通孔は、該係合軸部が略密接に挿通される非円形孔として構成されており、前記羽根車は前記上下の抜け止め鍔部に拘束されて該回転筒部材から脱落しないようになされ、
又前記羽根車は、１枚の羽根車形成シートにその縁部からその中央部に向けて適宜切り込みを入れて構成された複数の羽根片の夫々の端部分に、前記係合挿通孔を形成する非円形の挿通孔が設けられると共に該羽根車形成シートの中央部にも前記係合挿通孔を形成する非円形の挿通孔が設けられており、該中央部に設けられている挿通孔と該各羽根片の端部分に設けられている挿通孔とを合致させるように前記羽根片を屈曲させて構成され、全ての挿通孔の合致によって前記係合挿通孔が形成されることを特徴とする風車形の害鳥・害虫飛来防止装置。
【請求項２】
前記被取付け部は、支柱の上部分に取り付けられる支持部材を以て構成されており、該支持部材の上部には、上端開口の孔部が設けられており、又前記支軸部は、上下方向に長い丸軸状を呈するものとし、その下端に設けたネジ軸部が前記孔部にねじ込まれると共に前記支軸部の上端には、該ネジ軸部と同心に摘み部が設けられ、該摘み部を回転操作することによって前記ネジ軸部を前記孔部にねじ込み可能となされており、このようにねじ込まれた状態で、前記ネジ軸部と前記摘み部との間をなす支軸部が前記回転筒部材の前記円形挿通孔に挿通状態となる如くなされていることを特徴とする請求項１記載の風車型の鳥・害虫飛来防止装置。
【請求項３】
前記上下の筒部材は同一の構成を有して相互に兼用できることを特徴とする請求項１記載の風車型の害鳥・害虫飛来防止装置。
【請求項４】
前記回転筒部材の横断面外形が楕円形状を呈すると共に前記羽根車形成シートに設けられる挿通孔が、前記回転筒部材を略密接に挿通され得る楕円形状孔として構成されていることを特徴とする請求項１記載の風車型の害鳥・害虫飛来防止装置。
【請求項５】
前記羽根車形成シートは樹脂製のシートを用いて構成されており、その表裏面が光反射面として形成されていることを特徴とする請求項１記載の風車型の害鳥・害虫飛来防止装置。
【発明の詳細な説明】
【技術分野】
【０００１】
本発明は、例えば、田畑の作物がカラスや鳩等の鳥類によって被害を受けたり、飛来する虫によって被害を受けるのを防止するために用いる風車型の害鳥・害虫飛来防止装置に関するものである。
【背景技術】
【０００２】
田畑の作物が鳥類や飛来する虫によって被害を受けるのを防止する手段の一つとして、光の拡散作用を利用した装置があり、その一例として、特許文献１が開示する鳥獣侵入防止具や、特許文献２が開示する鳥類飛来防止装置が提案されている。
【０００３】
特許文献１に係る装置は、光の反射や光の乱反射、光の干渉機能を有する光反射プレートを支持部材で支持させてなるものであり、かかる光の反射や乱反射、干渉作用によって鳥類の視覚を刺激し、これによって田畑や住宅等への鳥類の侵入を防止せんとするものであった。該光反射プレートを支持部材で支持する構成の一例として、図１８に示すような回転方式の装置が提案されている。該装置ａ１は、光反射プレートｂを、垂直な軸線回りで自由回転可能な棒軸ｃ上に、隣接する光反射プレートｂの角度が異なるように複数個取り付けてなり、１本の棒軸ｃ上に取り付けられた複数個の光反射プレートｂを風力で回転させることによって、鳥類に届く光の状態を変化させ、これにより鳥類を忌避せんとするものであった。
【０００４】
しかしながら該装置によるときは、１本の棒軸ｃに複数個の光反射プレートｂが該棒軸ｃの軸線に沿って並設された状態となるため、棒軸ｃの長さが長くならざるを得ず、コンパクト性に欠ける問題があった。又、回転軸となる棒軸ｃに複数個の光反射プレートｂが取り付けられて全体重量が大きいことから棒軸下端の支承部ｄにおける摩擦力が大となるために、前記光反射プレートｂが微風時には回転できないか、或いは、回転が円滑に行われない問題があった。
【０００５】
又特許文献２に係る装置は、風車を応用した装置であり、該装置ａ２は図１９に示すように、軸線が垂直である支持杆ｅで、風車ｆを取り付けた支軸ｇを縦軸回りに首振り回転自在に支承するものであり、該支軸ｇの上端に、水平な回転軸ｈ回りに回転し得る風車ｆがベアリングケースｊを介して回転自在に支持されていた。そして該風車ｆは、複数枚の羽根板ｋで構成されており、該羽根板ｋには、瞬発的に光を発する発光体ｍが、風車ｆの回転時に同心円を描くように中心からの距離を互いに異ならせて取り付けられていた。
【０００６】
該装置は、風車ｆの羽根板ｋに、間欠的に発光する強力な発光体ｍを取り付けたものであるため、その瞬発的な発光によって鳥類に威嚇と幻惑を感じさせることができ、これによって鳥類を確実に忌避せんとするものであった。そして、該発光体ｍは前記回転軸ｈを中心に同心円上に回転し、更に、前記支軸ｇが前記支持杆ｅで支承されることによって該支軸ｇが首振り回転をするので、該装置ａ２の回りの全周に亘って瞬発光が発せられることとなり広範囲に鳥の忌避効果を及ぼすことができると、特許文献２の発明の効果の項に記載されている。
【０００７】
しかしながら、特許文献２に係る前記装置ａ２によるときは、風車ｆの回転軸ｈが水平であったために、例えば図１９において矢印で示すような、風車ｆに向かう風が吹いている場合は、該風車ｆの前方側においては瞬発的な発光によって鳥類を忌避できるとしても、その後側においては忌避効果を得にくい問題があった。なるほど、支持杆ｅは首振り回転はするが、風向が頻繁に変化する状態であればいざ知らず、風向の変化が少ない場合は、発光体の瞬発的な発光による鳥類忌避効果はあくまでも風車の前方側に限られたものとなり易く、鳥類の忌避効果が風向に影響される問題があった。
【０００８】
なお特許文献２においては、風車を構成する羽根板が光反射性を有する点については記載がないので、該羽根板が光反射性を有するとした場合における鳥類の忌避効果について検討する。この場合は、風車の回転によって羽根板が光反射を行うために該風車の回転に伴って、特許文献１におけると同様な鳥類忌避効果が得られるであろう。しかしながら、該風車ｆは水平な軸線回りに回転するのであり、又、前記支持杆ｅによって首振り回転可能となされていても、前記と同様、該風車による光拡散効果が限定的となって、光反射による鳥類忌避効果に限界がある。又微風時には、風向きによっては風車が回転しないこともある。
【先行技術文献】
【特許文献】
【０００９】
【特許文献１】特開２００２−１１２６９０号公報
【特許文献２】特開２００２−１０１８０号公報
【発明の概要】
【発明が解決しようとする課題】
【００１０】
本発明は前記従来の問題に鑑みて開発されたものであり、どの方向から風が吹いても回転できて全方向に光を拡散させることができ、これによって、鳥類を忌避してその飛来を防止できると共に飛来する虫を忌避でき、又、簡易且つ確実に組み立て得る風車型の害鳥・害虫飛来防止装置の提供を課題とするものである。
【課題を解決するための手段】
【００１１】
前記課題を解決するため、本発明は以下の手段を採用する。
即ち、本発明に係る風車型の害鳥・害虫飛来防止装置（以下、飛来防止装置という）は、支軸部材が挿通された回転筒部材を介して上下方向の軸線回りで回転し得る光反射性の風車を具えており、前記支軸部材は、上下方向に長い丸軸状を呈する支軸部の下端に、被取付け部への取着部が設けられると共に該支軸部の上端には摘み部が設けられている。前記回転筒部材は、端部分相互が係合一体化される上の筒部材と下の筒部材とに二分割されており、該上の筒部材は、前記支軸部を挿通させ得る円形挿通孔からなる上挿通孔が設けられてなる筒部の上端に抜け止め鍔部が設けられると共に、該筒部の下の端部分は、該筒部の軸線と直交する方向で所要幅が切除されて下の割片部とされ、該下の割片部の上側部分は、前記直交する方向で欠切されて、対向する係合溝からなる下の係合溝部とされ、該下の係合溝部の下側部分は、対向する係合片からなる下の係合突部とされている。又前記下の筒部材は、前記支軸部を挿通させ得る円形挿通孔からなる下挿通孔が設けられてなる筒部の下端に抜け止め鍔部が設けられると共に、該筒部の上の端部分は、該筒部の軸線と直交する方向で所要幅が切除されて上の割片部とされ、該上の割片部の下側部分は、前記直交する方向で欠切されて、対向する係合溝からなる上の係合溝部とされ、該上の係合溝部の上側部分は、対向する係合片からなる上の係合突部とされている。そして、前記下の係合突部を前記上の係合溝部に嵌め入れると共に、前記上の係合突部を前記下の係合溝部に嵌め入れた状態で、前記上下の筒部材は両者の軸線が合致して一体化される如くなされ、このように一体化されて形成された前記回転筒部材の連通する前記円形挿通孔に前記支軸部が挿通されることによって、前記上下の筒部材が、互いに周方向の回転が拘束され且つ長さ方向での分離が不能となる如くなされており、又、該回転筒部材の前記上下の筒部材は、前記風車を構成する羽根車の回転軸線に沿って設けられた係合挿通孔に挿通状態となされ、該上下の筒部材が、互いに周方向の回転が阻止され且つ長さ方向での分離が不能となる如くなされており、又、該回転筒部材の前記上下の抜け止め鍔部間には、横断面外形が非円形状を呈する係合軸部が形成される如くなされ、該係合軸部は、前記回転軸線に沿って設けられた係合挿通孔に挿通状態となされ、該係合挿通孔は、該係合軸部が略密接に挿通される非円形孔として構成されており、前記羽根車は前記上下の抜け止め鍔部に拘束されて該回転筒部材から脱落しないようになされている。又前記羽根車は、１枚の羽根車形成シートにその縁部からその中央部に向けて適宜切り込みを入れて構成された複数の羽根片の夫々の端部分に、前記係合挿通孔を形成する非円形の挿通孔が設けられると共に該羽根車形成シートの中央部にも前記係合挿通孔を形成する非円形の挿通孔が設けられており、該中央部に設けられている挿通孔と該各羽根片の端部分に設けられている挿通孔とを合致させるように前記羽根片を屈曲させて構成され、全ての挿通孔の合致によって前記係合挿通孔が形成されることを特徴とするものである。
【００１２】
前記飛来防止装置において、前記被取付け部を次のように構成するのがよい。即ち、前記被取付け部は、支柱の上部分に取り付けられる支持部材を以て構成されており、該支持部材の上部に、上端開口の孔部が設けられており、又前記支軸部は、上下方向に長い丸軸状を呈するものとし、その下端に設けたネジ軸部が前記孔部にねじ込まれると共に前記支軸部の上端には、該ネジ軸部と同心に摘み部が設けられ、該摘み部を回転操作することによって前記ネジ軸部を前記孔部にねじ込み可能となされており、このようにねじ込まれた状態で、前記ネジ軸部と前記摘み部との間をなす支軸部が前記回転筒部材の前記円形挿通孔に挿通状態となる如くなすのがよい。
【００１３】
前記飛来防止装置において、前記上下の筒状部材は同一の構成を有して相互に兼用できるものとして構成するのがよい。
【００１４】
前記飛来防止装置において、前記回転筒部材の横断面外形を楕円形状を呈したものとし、前記羽根車形成シートに設けられる挿通孔を、前記回転筒部材を略密接に挿通され得る楕円形状孔として構成するのがよい。
【００１５】
前記飛来防止装置において、前記羽根車形成シートは、樹脂製のシートを用いて構成しその表裏面が光反射面として形成されたものとするのがよい。
【発明の効果】
【００１６】
本発明は以下の如き優れた効果を奏する。
(1) 本発明に係る飛来防止装置は、支軸部材が挿通された回転筒部材を介して上下方向の軸線回りで回転し得る光反射性の風車を具え、上下方向に長い支軸部の下端に、被取付け部への取着部が設けられると共に該支軸部の上端には摘み部が設けられているため、どの方向から風が吹いても、その風を有効利用して回転でき、又、微風時においても回転できる。この回転により、前記風車の光反射面で太陽光が効率的に反射され、風車を起点として全方向に向けて光を拡散させることができる。かかる光の拡散作用によって、カラス等の鳥類に視覚的な刺激を与えてその飛来を効果的に防止できると共に、虫の飛来防止効果も期待でき、害鳥や害虫を効果的に忌避できる。特に鳥類の被害について言えば、家屋や各種の建造物への鳥類の侵入を防止できることにより、ベランダの手摺りや軒先等にカラスや鳩等の鳥類が止まって糞等を落下させて、家屋や各種の建造物、洗濯物、樹木、人等に害を及ぼす鳥害を効果的に防止できることともなる。
【００１７】
(2) そして本発明に係る飛来防止装置は、前記光反射性の風車が、前記支軸部材が挿通された回転筒部材を介して回転可能となされ、該回転筒部材は、上下の抜け止め鍔部間に、横断面外形が非円形状を呈する係合軸部が形成されており、該係合軸部が、前記風車を構成する羽根車の回転軸線に沿って設けられた係合挿通孔に挿通状態となされ、該係合挿通孔は該非円形軸部が略密接に挿通される非円形孔として構成されており、該羽根車は、該上下の抜け止め鍔部に拘束されて該回転筒部材から脱落しないようになされている。
【００１８】
従って該回転筒部材は、静止状態にある前記支軸部を回転の軸として回転できる。そして、該回転筒部材が前記羽根車に設けられている係合挿通孔に略密接状態に挿通されているため、該羽根車と該回転筒部材とは、両者を回り止めする係合作用によって一体となって回転できる。
【００１９】
かかることから、羽根車の挿通孔が前記支軸部と接触することがないため、前記挿通孔の縁部分が羽根車の回転時に摩耗したり、該挿通孔の周縁部分に亀裂が発生するなど、風車が損傷を受けるのを防止できる。
【００２０】
特に、前記係合軸部の横断面外形を楕円形状に形成すると共に前記羽根車の係合挿通孔もこれに合わせて楕円形状に形成する場合は、該係合軸部の外周面にも該係合挿通孔の内周縁部分にも角部分が存在しないため、前記係合軸部と前記係合挿通孔との係合部分に集中的な荷重が加わりにくい利点がある。
【００２１】
(3) そして前記上の筒部材は、その筒部の下端部分に前記下の係合溝部と下の係合突部を設ける構成とし、又、下の筒部材は、その筒部の上端部分に上の係合溝部と上の係合突部を設ける構成を採用しているため、該下の係合突部を該上の係合溝部に嵌め入れると共に該上の係合突部を該下の係合溝部に嵌め入れた状態とすることにより、該上下の筒部材を一体化できる。但し、このように一体化したままでは前記端部分相互が容易に分離してしまうが、該一体化されてなる該回転筒部材に前記支軸部を挿通状態とすると、該上下の筒部材は、互いに周方向の回転が拘束されると共に、該上下の筒部材がその長さ方向で分離不能となって該筒部材の長さが一定に定まる。
【００２２】
このように、上下の筒部材の端部分相互を係合一体化させることによって回転筒部材を構成する本発明によるときは、風車を簡易且つ確実に組み立て得る利点がある。
【００２３】
又本発明は、前記羽根車を、適宜の切り込みを設けられてなる１枚の羽根車形成シートを用いて構成するため、立体的な羽根車を容易且つ確実に然も安価に構成できることとなる。
【００２４】
(4) 又前記回転筒部材は、端部分相互が係合一体化される上の筒部材と下の筒部材とに二分割されており、該上の筒部材はその上端に抜け止め鍔部が設けられると共に該下の筒部材はその下端に抜け止め鍔部が設けられている。
【００２５】
かかることから、該回転筒部材はその上下に抜け止め鍔部を具えるものではあっても、このように二分割されているために、該抜け止め鍔部付きの回転筒部材を前記羽根車に容易に取り付けることができる。
【００２６】
特に該上下の筒部材を合成樹脂製の射出成形により製造する場合において、該上下の筒部材を同一構成を有して相互に兼用可能とする場合は、射出成形の金型が一種類で済むので、長さ等の異なる複数の部材を設計製作する場合に比し製造コストの低減を期し得ることとなる。
【００２７】
(5) 又、適宜の切り込みが設けられてなる１枚の羽根車形成シートを用いて立体的な羽根車を形成する構成を採用するため、前記光反射面を、鏡面光沢を有する反射面として構成したり、表面に微細な凹凸を有して光を乱反射させる反射面として構成したり、或いは光反射面の着色状態を変更させること等が容易であり、これらの光反射面を有する羽根車を安価に形成できる。
【００２８】
かかることから、光の反射強度の変化や光の色変化等を所要に設定して、鳥類の視覚を効果的に刺激して鳥類の飛来を防止でき、或いは、虫の飛来を効果的に防止できる飛来防止装置を提供できることとなる。
【００２９】
(6) 前記被取付け部を、支柱の上部分に取り付けられ且つ、上端開口の孔部を上部に有する支持部材を以て構成し、又前記支軸部を、上下方向に長い丸軸状を呈すると共にその下端に突設されたネジ軸部が該孔部にねじ込まれると共に該支軸部の上端には、該ネジ軸部と同心に摘み部が設けられたものとし、該摘み部を回転操作することによって該ネジ軸部を該孔部にねじ込み可能となし、このように締め付けられた状態で、該雌ネジ部と前記摘み部との間をなす支軸部が前記回転筒部材の前記円形挿通孔に挿通状態となる如く構成する場合は、前記被取付け部への前記支軸部材の取り付けを簡易且つ確実に行うことができ、又、該支軸部材を立設状態で安定的に保持できて風車の回転動作を安定的に行わせ得る利点がある。
【図面の簡単な説明】
【００３０】
【図１】本発明に係る飛来防止装置をその使用状態で示す斜視図である。
【図２】その分解斜視図である。
【図３】回転筒部材の円形挿通孔に支軸部材の支軸部を挿通し、該支軸部材の取着部を被取付け部に取り付けた状態を示す斜視図と、上下の筒状部材の筒部の断面図と、上下の筒部材の端部分相互の係合状態を示す斜視図である。
【図４】回転筒部材を構成する上下の筒部材を支軸部材と共に示す斜視図と上下の筒部材の端部分を拡大して示す斜視図である。
【図５】飛来防止装置を取り付けるための支持部材を示す斜視図である。
【図６】支持部材に対する支柱の連結要領を説明する説明図である。
【図７】その斜視図である。
【図８】上下の筒部材の端部分相互を係合一体化してなる回１０部材に支軸部材の支軸部を挿通させると共に支軸部材の下端部分をなすネジ軸部を支持部材の筒部にねじ込んだ状態を示す正面図である。
【図９】その端部分相互の係合部分の拡大図である。
【図１０】上下の筒部材の端部分相互を係合一体化してなる回転筒部材が羽根車に装着された状態で示す側面図である。
【図１１】羽根車形成シートを示す平面図である。
【図１２】羽根車の係合挿通孔に上下の筒部材を挿通させる風車組み立て工程を説明する一部断面正面図である。
【図１３】羽根車の係合挿通孔と回転筒部材の係合軸部とを回り止めする係合作用を説明する断面図である。
【図１４】前記羽根車形成シートに設ける挿通孔を六角形状に形成すると共に上下の筒部材の筒部の横断面外形を六角形状に構成してなる飛来防止装置を説明する分解斜視図である。
【図１５】その羽根車を構成する羽根車形成シートを示す平面図である。
【図１６】羽根車の係合挿通孔と回転筒部材の係合軸部とを回り止めする係合作用を説明する断面図である。
【図１７】支軸部材の取着部を取り付けるための被取付け部の他の態様を示す斜視図である。
【図１８】従来の鳥類飛来防止装置の一例を示す斜視図である。
【図１９】従来の鳥類飛来防止装置の他の例を示す側面図である。
【発明を実施するための形態】
【実施例１】
【００３１】
図１〜２において本発明に係る飛来防止装置１は、支軸部材２が挿通された回転筒部材３を介して上下方向の軸線Ｌ１回りで回転し得る光反射性の風車４を具えており、該風車４を構成する羽根車５は、その表裏面の全体が光反射性を有している。
【００３２】
そして該支軸部材２は、図３〜４に示すように、上下方向に長い丸軸状を呈する支軸部６の下端に、被取付け部７への取着部９が設けられると共に該支軸部６の上端には摘み部１０が設けられている。該被取付け部７は、本実施例においては図１〜２に示すように、支柱１１の上部分１２に固定される支持部材１３を以て構成されている。
【００３３】
前記支持部材１３は、図２、図５に示すように、例えば平板状を呈する上部片１５の所要側部１６で、下方向（縦方向で見た下方向）に突設されて前記支柱１１の一側部分１７を支持する下方突出支持片１９を具えている。該下方突出支持片１９の前後の縁部２０，２１の何れか一方の縁部（例えば前の縁部）２０に関し、その上側部分に位置させて上の保持片２２が設けられると共に、その他方の縁部（後の縁部）２１に関し、その下側部分に位置させて下の保持片２３が設けられ、該上下の保持片２２，２３間に所要の間隙２５が設けられている。該間隙２５の大きさは、図６に一点鎖線で示すように、前記支柱１１の上部分１２を、該間隙２５に、該上の保持片２２が設けられている前の縁部２０側から該下の保持片２３が設けられている後の縁部２１側に向けて横方向に挿通させ得るように設定されている。
【００３４】
そして本実施例においては図１に示すように、前記上部片１５と前記上の保持片２２との間に、前記支柱１１の上端部分に嵌着されている上端キャップ２７の上下長さよりも稍大なる間隙２９が設けられている。
【００３５】
前記下の保持片２３は、本実施例においては図２、図５に示すように、横断面Ｕ字状を呈しており、該下の保持片２３と前記下方突出支持片１９の下側部分３０とで、前記支柱１１の上部分２４の、前記他方の縁部２１側の部分３２（図１）を弾性的に挾持し得る断面Ｃ字状の筒状挾持部３３が形成され、該筒状挾持部３３は、前記前の縁部２０が存する側の周面部が該筒状挾持部３３の軸線方向に開口し且つ開口部３６が弾性的に拡開し得る筒状を呈している。該開口部３６は、図５（Ｂ）に示すように、その下側開口部分３７は略等幅であるが、その上側開口部分３８は、上端に向けて徐々に拡大している。本実施例においては図５に示すように、該筒状挾持部３３の外周面の上下に、周方向に補強リブ４０，４０が設けられ、該上下の補強リブ４０，４０間の部分が比較的薄肉に形成されているが、これは、該筒状挾持部３３の強度を所要に確保しながら、該開口部３６の弾性拡開を容易化するためである。
【００３６】
そして前記上の保持片２２は、本実施例においては図５に示すように、横断面Ｕ字状を呈しており、前記上部分１２の、前記一方の縁部２０側の部分を支持する如くなされている。
【００３７】
前記上部片１５の上部４３（本実施例においては上面４３ａ）には、軸線が上下方向で且つ上端４５が開口した孔部４６が設けられてなる筒部４７が突設されており、前記取着部９は、該孔部４６にねじ込まれるネジ軸部４９として構成され、該ネジ軸部４９は、前記支軸部６の下端に、同心に一連状態で突設されている。該ネジ軸部４９は、その下端部分を前記上端４５に挿入させて前記摘み部１０を回転操作することにより、前記孔部４６の内周面に雌ネジを形成しつつ前記筒部４７にねじ込まれるようになされている。
【００３８】
次に、図６〜７に基づいて、前記支持部材１３に前記支柱１１の上部分１２を連結する要領の一例を説明する。先ず、前記支持部材１３の前記筒部４７側の部分を一方の手で握った状態で、他方の手で支柱１１を握り、図６に一点鎖線で示すように、該支柱１１の上部分１２を前記上下の保持片２２，２３間に前記横方向に挿通させる。その後、図６に矢印Ｆ１で示すように、該支柱１１を、その上端５０が前記上の保持片２２側に近付く方向に回動させる。この回動は、該上部分１２の上側部分５１が前記上の保持片２２の下端縁５２に支持された状態にして行うことができ、これにより図６に示すように、該上部分１２の下側部分５３が前記開口部３６の上側開口部分（拡大する部分）３８の傾斜縁３４に当接した状態となし得る。この状態で、前記支柱１１を前記矢印Ｆ１方向に更に回動させると、図６に二点鎖線で示し、又図７に示すように、前記下端縁５２を支点とする梃子作用によって、該上部分１２の下側部分５３を、前記開口部３６（図５）を弾性的に拡開させながら該開口部３６を通して、図１に示すように、前記筒状挾持部３３内に嵌め入れることができる。この状態で、前記上端キャップ２７は、図１に示すように、前記上部片１５と前記上の保持片２２間の間隙２９に位置した状態となる。
【００３９】
次に、前記回転筒部材３の構成を説明する。該回転筒部材３は、係合軸部８４の上下端に抜け止め鍔部６６，７５が設けられており、ポリプロピレン等からなる合成樹脂製のもので、射出成形により製造されている。そして該回転筒部材３には、図３〜４、図８に示すように、前記のように締め付けられた状態にある前記支軸部材２の、前記筒部４７と前記摘み部１０との間をなす支軸部６を挿通させ得る円形挿通孔５６が設けられており、前記係合軸部８４の横断面外形は非円形状（本実施例においては楕円形状）を呈する。該回転筒部材３は、より具体的には図３〜４に示すように、端部分５７，５９相互が係合一体化される上の筒部材６０と下の筒部材６１とに二分割されている。
【００４０】
該上の筒部材６０は、図３〜４、図８〜９に示すように、前記支軸部６を挿通させ得る（本実施例においては前記ネジ軸部４９の先端６２から挿通させ得る）、円形挿通孔からなる上挿通孔６３を有する筒部６５の上端に抜け止め鍔部（本実施例においては円板状を呈する）６６が周設されると共に、該筒部６５の下の端部分５９には、該筒部６５の軸線Ｌ３と直交する方向で所要幅が切除されて（取り除かれた状態とされて）下の割片部６７が設けられている。本実施例においては、該切除による割り面６８が、楕円の長軸方向で見た先端から該筒部６５の軸線と直交する方向に欠切されることにより半割状割り面として形成されている。そして該下の割片部６７の上側部分は、前記直交する方向で欠切されて、対向する係合溝６４，６４からなる下の係合溝部６９とされ、該下の係合溝部６９の下側部分は、対向する係合片７０，７０からなる下の係合突部７１とされている。
【００４１】
又前記下の筒部材６１は図３〜４、図８〜９に示すように、前記支軸部６を挿通させ得る（本実施例においては前記ネジ軸部４９の先端６２から挿通させ得る）、円形挿通孔からなる下挿通孔７２を有する筒部７３の下端に抜け止め鍔部（本実施例においては円板状を呈する）７５が周設されると共に、該筒部７３の上の端部分５７には、該筒部７３の軸線Ｌ４と直交する方向で所要幅が切除されて（取り除かれた状態とされて）上の割片部７６が設けられている。本実施例においては、該切除による割り面７４が、楕円の長軸方向で見た先端から該筒部７３の軸線Ｌ４と直交する方向に欠切されることにより半割状割り面として形成されている。そして該上の割片部７６の下側部分は、前記直交する方向で欠切されて、対向する係合溝７７，７７からなる上の係合溝部７８とされ、該上の係合溝部７８の上側部分は、対向する係合片７９，７９からなる上の係合突部８０とされている。
【００４２】
前記上下の筒部材６０，６１を同一の形状、寸法を有して兼用可能に構成すれば、射出形成の金型が一種類で済むので、長さ等の異なる２つの部材を設計製作する場合に比し製造コストの低減を期し得ることとなる。
【００４３】
該上下の筒部材６０，６１は、図１０に示すように、端部分５７，５９相互が係合一体化される。より具体的には、前記下の係合突部７１を構成する係合片７０，７０を、前記上の係合溝部７８を構成する係合溝７７，７７に嵌め入れると共に、前記上の係合突部８０を前記下の係合溝部６９に嵌め入れた状態で、両者の軸線Ｌ３，Ｌ４（図４）が合致して一体化される如くなされている。このように一体化されたままでは該端部分５７，５９相互が容易に分離してしまうが、このように一体化されてなる前記回転筒部材３に、図８に示すように前記支軸部６が前記ネジ軸部４９の先端６２から挿通されることによって、前記上下の筒部材６０，６１は、互いに周方向の回転が拘束される。且つ、長さ方向での両者の分離が不能となるので、該回転筒部材３の長さは一定に定まる。
【００４４】
又、該回転筒部材３の前記上下の抜け止め鍔部６６，７５間をなす前記係合軸部８４は、図８に示すように、前記風車４を構成する羽根車５の、垂直な軸線Ｌ１に沿って設けられた係合挿通孔８２（図２）に挿通状態となされ、該係合挿通孔８２は、該係合軸部８４が略密接に挿通される非円形孔（本実施例においては楕円形孔）として構成されている。そして該羽根車５は、前記上下の抜け止め鍔部６６，７５に拘束されて前記回転筒部材３から脱落しないようになされている。
【００４５】
前記羽根車５は、図１１に示す、表裏面が光反射面８１として形成された１枚の、正方形状を呈する樹脂製の羽根車形成シート８３を用いて構成されており、該表裏の光反射面８１は、例えば、アルミ蒸着等による銀色面として形成されている。該羽根車形成シート８３には、その４つの縁部（本実施例においては角部分）８７，８７，８７，８７から中央部に向けて直線状を呈するスリット状の切り込み８８を入れて構成された、隣り合う切り込み８８，８８間の各羽根片８９の端部分９０に楕円形の挿通孔９１が設けられている。又、該羽根車形成シート８３の中央部にも楕円形の挿通孔９２が設けられている。そして前記羽根車５は、図２に示すように、該中央部の挿通孔９２と該羽根片８９の端部分の挿通孔９１とを合致させるように該４枚の羽根片８９，８９，８９，８９を順番に弾性的に屈曲させ、それらの端部分９０，９０，９０，９０を重ね合わせる。これによって、該重なり部分で、図１２に示すように、該挿通孔９１，９１，９１，９１が合致状態に連通する。そして、これらの挿通孔９１，９１，９１，９１が前記中央部の挿通孔９２と合致状態となることによって、図２に示す前記係合挿通孔８２が形成される。
【００４６】
このようにして構成された立体的な羽根車５の直径は、本実施例においては２３ｃｍ程度に設定される。かかる羽根車８１を用いて前記風車５を構成するには、図１２に矢印で示すように、前記上の筒部材６０の下端側９５を前記係合挿通孔８２の上端９６から下方に向けて挿通させると共に、前記下の筒部材６１の上端側９７を前記係合挿通孔８２の下端９９から上方に向けて挿通させ、図１０に示すように、前記端部分５７，５９相互を係合一体化させる。この状態で図８に示すように、前記支軸部６を、前記上の筒部材６０の前記上挿通孔６３に、前記ネジ軸部４９の先端６２（図４）から挿通させ且つ前記下挿通孔７２にも挿通させて該下挿通孔７２の下端１００から前記ネジ軸部４９を突出させると、前記上下の筒部材６０，６１が、互いに周方向の回転が阻止され且つ長さ方向での分離が不能となる。該羽根車５は、前記上下の抜け止め鍔部６６，７５に拘束されて前記回転筒部材３から脱落しない状態となって、図１に示す風車４を具える飛来防止装置１が構成されることとなる。前記回転筒部材３は、その両端に抜け止め鍔部６６，７５を有しているが、該回転筒部材３は上下の筒部材６０，６１に二分割されているため、前記のようにして、抜け止め鍔部６６，７５付きの回転筒部材３を前記羽根車５に容易に取り付けることができるのである。
【００４７】
図１、図８は、前記ネジ軸部４９を前記筒部４７の前記孔部４６にねじ込むことによって、該飛来防止装置１を前記取着部９（ネジ軸部４９）を介して前記被取付け部７（本実施例においては、支柱１１の上部分１２に固定された支柱部材１３）に取り付けた状態を示している。本実施例においては、前記支軸部材２を、その下端のネジ軸部４９を前記孔部４６にねじ込むことによって立設状態とするため、該立設を容易且つ安定的に行うことができる。そして、前記ネジ軸部４９を前記孔部４６に螺合し締め付けた状態で、前記支軸部６の長さが前記回転筒部材３の長さよりも若干長く形成されるようになされている。又、該回転筒部材３の上下の抜け止め鍔部６６，７５は、前記摘み部１０の下面部１０ａ（図８）と前記筒部４７の上面部４７ａ（図８）に当接して脱落が防止される。
【００４８】
かかる構成の飛来防止装置１によるときは、前記回転筒部材３が、静止状態にある前記支軸部６を回転の軸として回転できる。そして、横断面外形が楕円形状を呈する前記係合軸部８４が前記羽根車５に設けられている楕円形の係合挿通孔８２に略密接に挿通されているため、該羽根車５と前記回転筒部材３とは、該係合軸部８４と該係合挿通孔８２とを回り止めする図１３に示す係合作用によって、矢印方向に一体となって回転できる。この係合状態で、前記係合軸部８４の楕円形の外周面８４ａが前記係合挿通孔８２の楕円形の内周縁部８２ａにソフトに当接する。
【００４９】
従って、該羽根車５の挿通孔９１，９２が、静止状態にある前記支軸部６と接触することがなく、各挿通孔９１，９１，９１，９１，９２の内周縁部が羽根車５の回転時に摩耗したり、該内周縁部に亀裂が発生する等、風車４が損傷を受けるのを防止できる。なお、前記羽根車５が回転する際、前記係合軸部８４と前記挿通孔９１，９１，９１，９１，９２とが係合状態にあるが、本実施例においては前記のように、係合軸部８４の横断面外形を楕円形状に形成すると共に、羽根車５の挿通孔９１，９１，９１，９１，９２もこれに合わせて楕円形状に形成しているため、図１３に示すように、該係合軸部８４の外周面にも該係合挿通孔８２の内周縁部にも角部分が存在しない。かかることから、両者の係合部に集中的な荷重が加わりにくく、これらの挿通孔９１，９２の損傷を防止できることとなる。
【００５０】
前記構成を有する飛来防止装置１は、例えば、トマトや胡瓜、果樹等の植物の栽培区画に設置される。この設置は、これらの植物の苗の段階や実を付けている段階で、これらの上端高さ程度の高さ位置で前記風車５が回転し得るように行われる。図１は、前記支柱１１の下端部分を土に突き刺して該支柱１１を立設状態とした場合を、その下側部分を省略して示している。該支柱１１の立設本数とその立設位置は、対象となる栽培区画の面積や植物の栽培状態等を考慮して所要に設定する。
【００５１】
このようにして設置された前記飛来防止装置１によるときは、前記光反射性の風車４が、風を受けて垂直軸線回りで容易に回転できる。該風車４は、特許文献２におけるように水平軸線回りで回転するのではなく上下方向の軸線回りで回転するため、どの方向から風が吹いても、その風を有効利用して回転でき、又、微風時においても回転できる。この回転により、前記風車４の光反射面８１での太陽光が効率的に反射され、該風車４を起点として全方向に向けて光が拡散される。該風車４は上下方向の軸線回りで回転することから、特許文献２におけるような特定の方向に対しての光拡散ではなく、風車４の周囲に全方向に向けて光を拡散させることができるのである。かかる光の拡散作用によって、カラス等の鳥類の飛来を効果的に防止できると共に虫の飛来防止効果も期待でき、害鳥や害虫による食害等の被害を防止できる。
【００５２】
そして、虫は、強風時には飛来してこないが微風時には飛来してくることを考慮すると、風車４が微風時においても回転できることは、飛来する虫の忌避に効果的と言える。
【実施例２】
【００５３】
本発明は、前記実施例で示したものに限定されるものでは決してなく、「特許請求の範囲」の記載内で種々の設計変更が可能であることはいうまでもない。その一例を挙げれば次のようである。
【００５４】
(1) 前記羽根車５を構成するために用いる前記羽根車形成シート８３は、風を受けて回転できる羽根車を構成できるものであれば、その外形が、前記した正方形状を呈するものの他、円形状や楕円形状を呈するもの等であってもよい。又前記切り込み８８は、前記した直線状のスリットでなくてもよく、その形状は、直線状の他、曲線状等を呈するものであってもよい。そして該切り込みは、前記スリット状を呈するものの他、単なる切断線であってもよい。又、隣り合う切り込み８８，８８間に形成される羽根片８９の形状は特定されず、該羽根片の枚数は複数に設定すればよく、上下方向の軸線回りで回転し得る前記風車４を構成できる限り、前記４枚の他、２枚や３枚、５枚等の複数に設定される。又、羽根片８９の大きさは、風車の使用目的に応じて所要に設定できる。
【００５５】
(2) 前記光反射性の風車４における光反射性は、前記実施例で示したような、表裏面が銀色の光反射面８１とされたものの他、鳥類や虫の飛来を防止できるように光を拡散させ得るものであれば、その光反射面８１の着色状態は特定されない。
【００５６】
又、前記光反射面７８は、前記光の拡散を効果的に行い得るものであれば、前記羽根車形成シート８３の表裏面の全体に形成されることの他、その表面や裏面に、光反射性を有する所要形状を有するシール状等の反射材を貼着する等によって形成してもよい。
【００５７】
(3) 前記羽根車５を１枚の羽根車形成シート８３を用いて構成する場合、前記反射面８１を、表面に微細な凹凸を有して光を乱反射させる反射面として構成してもよい。
【００５８】
(4) 前記回転筒部材３を構成する前記筒部６５，７３の横断面外形は、前記係合軸部８４と前記係合挿通孔８２との係合によって前記挿通孔９１，９２の損傷を招かない限り、前記した楕円形状を呈するものの他、三角形状や四角形状、六角形状等の多角形状を呈するものや、その一部分が円弧状を呈するもの等、各種の非円形状に設定できる。又、前記羽根車５を構成する羽根車形成シート８３には、前記筒部６５，７３を略密接に挿通させ得る非円形孔としての挿通孔８２を設けることができる。
【００５９】
図１４は、前記筒部６５，７３の横断面外形を六角形状に構成すると共に、図１４〜１５に示すように、前記挿通孔９１，９２を六角形状に構成した場合を示す。図１６（Ａ）は、かかる構成を有する回転筒部材３を前記係合挿通孔８２に挿通した状態を示しており、図１６（Ｂ）は、羽根車５の係合挿通孔８２と回転筒部材３の係合軸部８４とを回り止めする係合作用を説明する説明図である。
【００６０】
又、該回転筒部材３は上下の筒部材６０，６１の端部分５７，５９相互を係合一体化させて構成されるものであるが、該上下の筒部材６０，６１の長さは異なってもよい。
【００６１】
(5) 前記支軸部材２の下端部分に設けられている取着部９は、被取付け部７に圧入される圧入軸として構成される等、被取付け部７に取り付けられて該支軸部材２を安定的な立設状態となし得るものであれば各種に構成できる。
【００６２】
図１７に示す被取付け部７は、孔部４６を有する筒部４７が設けられてなる取付け片１０２を横木１０５にビス固定して構成されており、該孔部４６に、前記支軸部材２の前記ネジ軸部４９をねじ込むように構成されている。
【００６３】
(6) 又、前記支軸部６の上端に設けられる摘み部１０は、該支軸部材２の上端部分を該摘み部１０の下面部に設けた固定孔に圧入して接着したり、或いは、該上端部分をネジ軸部とし、該ネジ軸部を該摘み部１０の下面部にねじ込むことによって構成する等してもよい。そして該摘み部１０は、前記孔部４６へのねじ込みや前記固定孔への圧入操作等を行うのに支障がないものであれば、その大きさや形態は、図示したものには特定されない。
【００６４】
(7) 本発明において、前記係合軸部８４を係合挿通孔８２に略密接に挿通させるとは、該係合軸部８４を該係合挿通孔８２に密接状態に挿通させることの他、例えば図１３に示すように、該係合軸部８４を該係合挿通孔８２に稍余裕を以て挿通させる遊挿状態を含むものである。
【００６５】
(8) 前記被取付け部７は、本発明に係る装置の用途に応じて所要に設定できる。例えば、海産物等の食品を天日で乾燥させるための作業場所において鳥の飛来を防止する場合は、該作業場所に沿って配設した横木等としての支持台に設けた被取付け部であってもよい。  
【００６６】
(9) 前記支柱１１は、植木鉢やプランターの土に突き刺したりする他、例えばコンクリート面に設置される台座に設けられている支持部で立設状態に支持してもよい。
【００６７】
(10)前記支持部材１３の上部４３に設けられる孔部４６はネジ孔として構成されてもよい。又該孔部４６は、前記のような筒部４７に設けた孔部４６として構成されることの他、該上部４３の上面で開口する如く設けられてもよい。或いは、該上部４３の側部等に設けられてもよい。
【符号の説明】
【００６８】
１  飛来防止装置
２  支軸部材
３  回転筒部材
４  風車
５  羽根車
６  支軸部
７  被取付け部
９  取着部
１０  摘み部
１１  支柱
１３  支持部材
５６  円形挿通孔
６０  上の筒部材
６１  下の筒部材
６２  上挿通孔
６４  係合溝
６５  筒部
６６  抜け止め鍔部
６７  割片部
６８  割り面
６９  下の係合溝部
７０  係合片
７１  下の係合突部
７２  下挿通孔
７３  筒部
７５  抜け止め鍔部
７６  上の割片部
７７  係合溝
７８  上の係合溝部
７９  係合片
８０  上の係合突部
８２  係合挿通孔
８３  羽根車形成シート
８４  係合軸部
８７  角部
８８  切り込み
８９  羽根片
９１  挿通孔
９２  挿通孔
９３  連通挿通孔
【図１】
2014057566.tif 000003
【図２】
2014057566.tif 000004
【図３】
2014057566.tif 000005
【図４】
2014057566.tif 000006
【図５】
2014057566.tif 000007
【図６】
2014057566.tif 000008
【図７】
2014057566.tif 000009
【図８】
2014057566.tif 000010
【図９】
2014057566.tif 000011
【図１０】
2014057566.tif 000012
【図１１】
2014057566.tif 000013
【図１２】
2014057566.tif 000014
【図１３】
2014057566.tif 000015
【図１４】
2014057566.tif 000016
【図１５】
2014057566.tif 000017
【図１６】
2014057566.tif 000018
【図１７】
2014057566.tif 000019
【図１８】
2014057566.tif 000020
【図１９】
2014057566.tif 000021